(57)【要約】【課題】現在利用可能な多くの床コーヴィングは、既存の構造に適用するのが難しい場合があり、且つ/又は、その結果、接続部分が食材や他の汚染物質の望ましくない集積を促進する場合がある。【解決手段】使用するときに垂直構造に当接する垂直部（１１）と、使用するときに前記垂直構造から延在する床に当接する水平部（１２）と、垂直部と水平部との間に延在する凹面（１４）であって、使用するときに床材（３３）の柔軟な層を支持するように適合される凹面とを備え、前記垂直部の上面（１３）は前記凹面に向かって下向きに傾斜している、床コーヴィング（１０）。【選択図】図４
2016513762.tif 000002
【特許請求の範囲】
【請求項１】
使用するときに垂直構造に当接する垂直部と、
使用するときに前記垂直構造から延在する床に当接する水平部と、
前記垂直部と前記水平部との間に延在する凹面であって、使用するときに床材の柔軟な層を支持するように適合される凹面とを備え、
前記垂直部の上面は前記凹面に向かって下向きに傾斜している、床コーヴィング。
【請求項２】
前記垂直部の前記上面は約45°の角度で下向きに傾斜している、請求項1に記載の床コーヴィング。
【請求項３】
前記垂直部の前記上面は、前記垂直部の先端縁から延在し、前記凹面に連続する、請求項1に記載の床コーヴィング。
【請求項４】
使用するときに前記垂直構造に当接する前記垂直部の当接面と使用するときに前記床に当接する前記水平部の当接面との間に、連続的な面取り部が延在する、請求項1から3のいずれか一項に記載の床コーヴィング。
【請求項５】
前記垂直部の前記当接面に切り込まれ、前記連続的な面取り部から垂直に延在する連続的な段差部を備える、請求項4に記載の床コーヴィング。
【請求項６】
使用するときに垂直構造に当接する垂直部と、
使用するときに前記垂直構造から延在する床に当接する水平部と、
前記垂直部と前記水平部との間に延在する凹面であって、使用するときに床材の柔軟な層を支持するように適合される凹面とを備え、
使用するときに前記垂直構造に当接する前記垂直部の当接面と使用するときに前記床に当接する前記水平部の当接面との間に、連続的な面取り部が延在し、
連続的な段差部が前記垂直部の前記当接面に切り込まれ、前記連続的な面取り部から垂直に延在する、床コーヴィング。
【請求項７】
前記垂直部は、前記垂直部の前記上面から延在する平面を有する実質的に平面的な上部を備え、前記平面的な上部の前記平面は前記凹面に連続している、請求項1から6のいずれか一項に記載の床コーヴィング。
【請求項８】
前記凹面は前記水平部の縁部に向けて徐々に薄くなる、請求項1から7のいずれか一項に記載の床コーヴィング。
【請求項９】
前記凹面は前記水平部の前記縁部に沿って約1mm以下まで徐々に薄くなる、請求項8に記載の床コーヴィング。
【請求項１０】
前記垂直部の高さの前記水平部の奥行に対する比が、1:1から2:1である、請求項1から9のいずれか一項に記載の床コーヴィング。
【請求項１１】
前記垂直部と前記水平部の一方又は両方は、一つ以上の溝又は浅い切り込みを備える、請求項1から10のいずれか一項に記載の床コーヴィング。
【請求項１２】
前記垂直部と前記水平部の一方又は両方は、長手方向に延在する帯状の剥離可能紙であって、取り去られたときに、前記垂直部と前記水平部をそれぞれ前記垂直構造と前記床に接着するように適合された帯状のコンタクト型接着剤を露出する帯状の剥離可能紙を備える、請求項1から11のいずれか一項に記載の床コーヴィング。
【請求項１３】
前記床コーヴィングは、弾性合成材料の一体的な押出成形によって構成される、請求項1から12のいずれか一項に記載の床コーヴィング。
【請求項１４】
前記弾性合成材料は可撓性を有し、ショアA硬度が80〜85である、請求項13に記載の床コーヴィング。
【請求項１５】
前記弾性合成材料は、合成ゴム及びビニルポリマーから選ばれる、請求項13又は14に記載の床コーヴィング。
【請求項１６】
前記弾性合成材料は、ポリ塩化ビニルである、請求項13から15のいずれか一項に記載の床コーヴィング。
【請求項１７】
前記弾性合成材料は、殺カビ剤、殺菌剤、抗菌剤、及び顔料から選ばれた添加剤、又はそれらの組合せを含んでいる、請求項13から16のいずれか一項に記載の床コーヴィング。
【請求項１８】
部屋に床を張る方法であって、
請求項1から17のいずれか一項に記載の床コーヴィングを、前記部屋内の垂直構造と床との間の接合部に、前記床コーヴィングの垂直部が前記垂直構造に当接し前記床コーヴィングの水平部が前記床に当接するように適用するステップと、
床材を前記床に敷設するステップとを備え、
前記床材の縁部は、前記床コーヴィングの前記水平部を覆って延在し、前記床コーヴィングの前記垂直部の少なくとも途中まで上り、前記床コーヴィングの凹面の輪郭と一致する、方法。
【発明の詳細な説明】
【技術分野】
【０００１】
本発明は床コーヴィング(coving)に関し、特には、食料や薬剤の取り扱い、保管、又は処理を行う建物、又は様々な分野の科学研究に使用される建物など、概して清浄な環境を要する特殊用途の建物での使用に適した床コーヴィングに関する。
【背景技術】
【０００２】
多くの産業において、非常に清浄な作業環境が維持されることが要求される。例えば、食品の調理又は保管を伴う様々な産業では、衛生及び安全の義務と基準を満たすために清浄さが要求されることがある。例えばベーカリー、コーヒー店、精肉店、食品包装業、食品製造業などの食品供給業者を含み得るこれらの産業では、一般的に清浄な床及び日常的な床の清掃が求められる。
【０００３】
製薬産業においては、製造条件として、無塵室仕様に至るまでを含むかなり高い水準の清浄さを要求される場合がある。電子回路の製造においても同様の要求を見ることができる。汚染物質が可能な限り回避されるべき多くの科学研究分野においても、高い水準の清浄さがしばしば要求される。
【０００４】
壁と床の間に延在する凹面を提供し、それなしでは露わになる概して90度の隅部を回避するような床コーヴィングが提案されている。上述した産業において、そのようなコーヴィングの存在によって、壁と床の間の隅部の接続部分に食材や汚染物質が集積する虞がなくなるので、この床コーヴィングは好都合であり得る。
【０００５】
他の場合において、建設中に床と壁の間に凹面を整備することで、建設後に個別に床コーヴィングを適用する必要がなくなる。
【発明の概要】
【発明が解決しようとする課題】
【０００６】
現在利用可能な多くの床コーヴィングは、既存の構造に適用するのが難しい場合があり、且つ/又は、その結果、接続部分が食材や他の汚染物質の望ましくない集積を促進する場合があるという問題を、いまだに有していると考えられる。
【０００７】
本明細書において特許請求される主題は、上述の欠点を解決する又は上述の環境でのみ作用する実施形態に限定されるものではない。この背景技術は、本明細書で述べられる本発明のいくつかの実施形態が実施され得る例示的な技術分野を例示するために提供される。
【課題を解決するための手段】
【０００８】
本発明の一つの態様は、
使用するときに垂直構造に当接する垂直部と、
使用するときに前記垂直構造から延在する床に当接する水平部と、
垂直部と水平部との間に延在する凹面であって、使用するときに床材の柔軟な層を支持するように適合される凹面とを備え、
前記垂直部の上面は前記凹面に向かって下向きに傾斜している、床コーヴィングを提供する。
【０００９】
前記垂直部の上面は、任意の適切な角度で下向きに傾斜してよい。このことは、例えば、垂直部の上面が平坦で水平な面であった場合に、汚染物質の集積と滞留に関連する潜在的な問題を緩和することが好都合である。好適な実施形態において、上面は約45°の角度で下向きに傾斜するが、20〜70°、30〜60°又は40〜50°の角度で下向きに傾斜してもよい。他の実施形態において、垂直部の上面は、垂直部の先端縁から延在し、凹面に連続する。すなわち、垂直部の上面は鋭い縁部へと先細りになり得る。
【００１０】
好適な実施形態において、使用するときに前記垂直構造に当接する前記垂直部の当接面と使用するときに前記床に当接する前記水平部の当接面との間に、連続的な面取り部が延在する。連続的な面取り部によって、壁や建具などの垂直構造と床との接合部に適用される際に床コーヴィングの良好な密着を確保できるので好都合である。特に、接合部が直角の隅部でない場合に密着を確保できるので好都合である。
【００１１】
更に好適な実施形態において、床コーヴィングは、前記垂直部の前記当接面に切り込まれ、前記連続的な面取り部から垂直に延在する連続的な段差部を備える。このことは、例えばサンドイッチパネルの設置の場合など、既に幅木(skirting)又は箱状覆い(boxing)の区間が適用されている接合部への床コーヴィングの適用を容易にするのに好都合である。すなわち、床コーヴィングの連続的な段差部が既存の幅木又は箱状覆いを収容し、既存の接合部及び幅木若しくは箱状覆いへの床コーヴィングの良好な密着を確保する。
【００１２】
これを受けて、代替的な実施形態において、本発明は、
使用するときに垂直構造に当接する垂直部と、
使用するときに前記垂直構造から延在する床に当接する水平部と、
垂直部と水平部との間に延在する凹面であって、使用するときに床材の柔軟な層を支持するように適合される凹面とを備え、
使用するときに前記垂直構造に当接する前記垂直部の当接面と使用するときに前記床に当接する前記水平部の当接面との間に、連続的な面取り部が延在し、
連続的な段差部が前記垂直部の前記当接面に切り込まれ、前記連続的な面取り部から垂直に延在する、床コーヴィングを提供する。
【００１３】
特定の実施形態において、垂直部は、前記垂直部の前記上面から延在する平面を有する実質的に平面的な上部を備え、前記平面的な上部の前記平面は前記凹面に連続している。他の実施形態において、垂直部と水平部は長さが実質的に等しく、凹面は、垂直部及び水平部の双方の長さに沿って実質的に均等に延在する。
【００１４】
特定の実施形態において、凹面は前記水平部の縁部に向けて徐々に薄くなる。すなわち、水平部と床との接合部にはわずかな段差しかないか又は段差がない。このことは、使用するときに水平部を覆って適用される床材が、水平部とその下に横たわる床との接合部に床材が重なる盛り上がった畝を作らないということを確実にすることが好都合であり得る。特定の実施形態において、例えば、凹面は水平部の前記縁部に沿って約1mm以下まで徐々に薄くなる。
【００１５】
垂直部の高さと水平部の奥行は特に制限されない。概して、垂直部の高さは、水平部の奥行と少なくとも等しくなる。特定の実施形態において、前記垂直部の高さの前記水平部の奥行に対する比は、1:1から2:1である。例えば、本発明がそのように限定されるのではないことは理解されようが、垂直部の高さは50mmから150mmでよく、水平部の奥行は25mmから75mmでよい。
【００１６】
特定の実施形態において、前記垂直部と前記水平部の一方又は両方は、一つ以上の溝又は浅い切り込みを備える。このことは、特定の場合において、床コーヴィングの適用を補助し得ると想定される。同様に、上述のように、そのような溝又は浅い切り込みは、任意の連続的な面取り部の代わりに含まれ得ると考えられる。しかしながら、両方の特徴を含む床コーヴィングは本発明の領域(ambit)内に含まれるものとみなされる。
【００１７】
床コーヴィングは、任意の適切な方法で適用されてよい。例えば、床コーヴィングを垂直構造と床とに適用するのに先立って、床コーヴィングに接着剤を塗布してもよい。ネジやリベットのような取り付け具は、これらが、汚染物質が集積する領域を設けることになり、また、そのため、もしもこれらの取り付け具が使用されるとこのような潜在的な問題を取り除くために取り付け部分を塞ぐことも必要になるため、好ましくない。より好適な実施形態においては、前記垂直部と前記水平部の一方又は両方は、長手方向に延在する帯状の剥離可能紙であって、取り去られたときに、前記垂直部と前記水平部をそれぞれ前記垂直構造と前記床に接着するように適合された帯状のコンタクト型接着剤を露出する帯状の剥離可能紙を備える。
【００１８】
床コーヴィングは、任意の適切な方法で製造されてよい。例えば、床コーヴィングは射出成形されてもよいし、又は成形加工によって製造されてもよい。好適には、床コーヴィングは、弾性合成材料の一体的な押出成形によって構成される。この際、床コーヴィングは押出成形され、特定の管轄区域(jurisdiction)の建築工業に適した長さに切断され得る。例えば、床コーヴィングは3mから6mの長さ、又は特定の用途に適切であると考えられる任意の他の長さに切断されてよい。
【００１９】
床コーヴィングは、金属又は金属合金を含むがそれに限定されない、任意の適切な材料から形成されてよいが、上述のように、弾性合成材料から押出成形されるのが好ましい。好適には、弾性合成材料は可撓性を有し、ショアA硬度が80〜85である。好適には、弾性合成材料は比較的大きな動作範囲にわたって熱劣化耐性を有する。例えば、床コーヴィングは、冷却環境や高い処理温度の中で必要とされる場合がある。そのため、弾性合成材料は、-40℃〜120℃の範囲にわたって熱劣化耐性を有するのが好ましい。本実施形態によれば、床コーヴィングを形成する弾性合成材料は、合成ゴム及びビニルポリマーから選ばれるのが好ましい。他の適切な高分子材料も同様に採用されてよい。特定の実施形態において、弾性合成材料はネオプレン又はポリ塩化ビニルである。
【００２０】
特定の用途において、床コーヴィングを形成する弾性合成材料に添加剤を含むのが望ましい場合があることが想定される。例えば、弾性合成材料は、殺カビ剤、殺菌剤、抗菌剤、及び顔料から選ばれた添加剤、又はそれらの組合せを含んでよい。抗菌剤及び殺カビ剤の特定の例には、ダウケミカル社(Dow Chemical Company)が提供するVINYZENE(商標)シリーズの製品が含まれる。そのような添加剤は、例えば、約5重量%まで含まれてよい。床コーヴィングに所望の色を付与するために顔料が含まれてもよく、それによってその後の塗装が不要になる。
【００２１】
本発明の他の態様によれば、部屋に床を張る方法であって、
前記請求項のいずれか一項に記載の床コーヴィングを、前記部屋の垂直構造と床との間の接合部に、前記床コーヴィングの垂直部が前記垂直構造に当接し前記床コーヴィングの水平部が前記床に当接するように適用するステップと、
床材を前記床に敷設するステップとを備え、
前記床材の縁部は、前記床コーヴィングの前記水平部を覆って延在し、前記床コーヴィングの前記垂直部の少なくとも途中まで上り、前記床コーヴィングの凹面の輪郭と一致する、方法が提供される。
【００２２】
本発明のいくつかの実施形態の様々な態様を更に明らかにするために、本発明のより詳細な説明を、添付の図面を参照して記述する。これらの図面は本発明の特定の実施形態を示すものであり、したがって、本発明の範囲を限定するものと考えるべきではないことは理解されよう。添付の図面による追加的な特殊性と詳細とともに、本発明を記述し、説明する。
【図面の簡単な説明】
【００２３】
【図１】本発明の一実施形態による床コーヴィングを示した図である。
【図２】本発明の一実施形態による床コーヴィングの拡大平面図であり、コンタクト型接着剤の帯を含む。
【図３】本発明の他の実施形態による床コーヴィングを示した図である。
【図４】本発明の更なる実施形態による床コーヴィングを示した図である。
【発明を実施するための形態】
【００２４】
以下において、本明細書は、好適な実施形態による本発明を記述する。記述を本発明の好適な実施形態に限定することは単に本発明の説明を容易にするためであり、添付の特許請求の範囲から離れるわけではないと想定されることを理解されたい。
【００２５】
図1を参照すると、床コーヴィング10が示されている。床コーヴィング10は、互いに対して約90°の角度で配置された垂直部11と水平部12とを含む。垂直部11は、垂直部11と水平部12との間に延在する凹面14に向かって45°の角度で下向きに傾斜する上面13を含む。
【００２６】
垂直部11、水平部12及び凹面14の寸法は、床コーヴィング10の用途によって、ある程度決定され得る。例えば、上述のように、垂直部11の高さは50mmから150mmでよく、水平部12の奥行は25mmから75mmでよい。凹面14の例示的な半径は約50mmであるが、凹面14の半径は任意の寸法、例えば40mm〜60mm又は45mm〜55mmでもよい。
【００２７】
凹面14は、水平部12の縁部16に向けて徐々に薄くなる。概して、縁部16は1mm以下まで徐々に薄くなり、重ねられる床材が、下に横たわる縁部16によって生じる畝を含まないことが確実になる。
【００２８】
床コーヴィング20の拡大図が図2に示されている。この場合も、床コーヴィング20は、垂直部21と、水平部22と、垂直部21の上面23を含む。面取り部25が、垂直部21と水平部22との間に配置されている。垂直部21の当接面26と水平部22の当接面27は、帯状の剥離可能紙29の下に設けられたコンタクト型接着剤28を含む。帯状の剥離可能紙29を取り去ると、垂直部21及び水平部22の当接面26、27のコンタクト型接着剤28は、それぞれ垂直構造と床に適用され得る。
【００２９】
図3は、本発明の実施形態の床コーヴィング30の本来の場所での実例を示している。示されているように、床コーヴィング30の垂直部31の当接面36は垂直構造38に接着され、一方、水平部32の当接面37は床39に接着されている。柔軟な床材33が水平部32の上に被せられ、凹面34の大部分を覆うように延在し、垂直部31を登っている。
【００３０】
この床コーヴィング30の実施形態においては、前述した面取り部は溝35に置換されている。溝35は、垂直構造38及び床39に対して床コーヴィング30を密着させる際に床コーヴィング30をある程度圧縮する必要がある場合、床コーヴィング30にいくらかの柔軟性を与える。例えば、溝35は、垂直構造38が床39と直角を成していない場合に有用となり得る。
【００３１】
図4を参照すると、床コーヴィング40の別の実施形態が示されている。この実施形態においても、垂直部41及び水平部42が設けられ、凹面44及び面取り部45もまた同様である。この実施形態において、垂直部41の当接面46から段差48が切断され取り除かれている。上述のように、これによって、それに適用された幅木又は箱状覆いを有する垂直構造に床コーヴィング40を適用すべきであるというような状況において利点が提供される。すなわち、段差48は幅木又は箱状覆いを収容できるという利点があり、当接面46とそれが適用される垂直構造との適切な密着を確保する。図示されるように、床コーヴィング40の垂直部41は下降傾斜面43を有しているが、段差48を含むことで、下降傾斜面43が含まれていることに関わりなく床コーヴィングに利点が提供されると想定される。すなわち、段差48を含む本発明の実施形態は、図示される下降傾斜面43とは対照的に平坦な面を備えてもよく、それでもなお幅木又は箱状覆いが現状のまま適用された場合に利点を提供することができる。
【００３２】
文脈上他の意味に解すべき場合を除き、又はそうではないと特に記述されない限り、本明細書に単数形の整数、ステップ又は要素として記載される本発明の整数、ステップ、又は要素は、記載された整数、ステップ又は要素の単数形及び複数形の双方を明らかに含んでいる。
【００３３】
本明細書全体にわたって、文脈上他の意味に解すべき場合を除き、「含む(comprise)」という用語又は「含む(comprises)」若しくは「含んでいる(comprising)」などのその変化形は、記載されるステップ、要素、整数、又はステップ、要素若しくは整数の群の包含を意味するものであり、任意の他のステップ、要素、整数、又はステップ、要素若しくは整数の群の排除を意味するものでないことが理解されよう。したがって、本明細書の文脈において、「含んでいる」という用語は包含的な意味で用いられ、したがって、「主として含むが、必ずしもそれだけではない」という意味であると理解されるべきである。
【００３４】
上記の記述は本発明の例示として述べられたものであり、当業者には明らかであるようなすべての本発明に対する修正例及び改変例は、本明細書に記載された本発明の広範な範囲及び領域内に含まれるとみなされることが理解されよう。
【図１】
2016513762.tif 000003
【図２】
2016513762.tif 000004
【図３】
2016513762.tif 000005
【図４】
2016513762.tif 000006
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
使用するときに垂直構造に当接する垂直部と、
使用するときに前記垂直構造から延在する床に当接する水平部と、
前記垂直部と前記水平部との間に延在する凹面であって、使用するときに床材の柔軟な層を支持可能な凹面とを備え、
前記垂直部の上面は前記凹面に向かって下向きに傾斜し、
使用するときに前記垂直構造に当接する前記垂直部の当接面と使用するときに前記床に当接する前記水平部の当接面との間に、連続的な面取り部が延在し、
前記凹面は前記水平部の縁部に向けて徐々に薄くなり、水平部と床との接合部には段差がない、床コーヴィング。
【請求項２】
前記垂直部の前記上面は約45°の角度で下向きに傾斜している、請求項1に記載の床コーヴィング。
【請求項３】
前記垂直部の前記上面は、前記垂直部の先端縁から延在し、前記凹面に連続する、請求項1に記載の床コーヴィング。
【請求項４】
前記垂直部の前記当接面に切り込まれ、前記連続的な面取り部から垂直に延在する連続的な段差部を備える、請求項1に記載の床コーヴィング。
【請求項５】
前記垂直部は、前記垂直部の前記上面から延在する平面を有する実質的に平面的な上部を備え、前記平面的な上部の前記平面は前記凹面に連続している、請求項1から4のいずれか一項に記載の床コーヴィング。
【請求項６】
前記垂直部の高さの前記水平部の奥行に対する比が、1:1から2:1である、請求項1から5のいずれか一項に記載の床コーヴィング。
【請求項７】
前記垂直部と前記水平部の一方又は両方は、一つ以上の溝又は浅い切り込みを備える、請求項1から6のいずれか一項に記載の床コーヴィング。
【請求項８】
前記垂直部と前記水平部の一方又は両方は、長手方向に延在する帯状の剥離可能紙であって、取り去られたときに、前記垂直部と前記水平部をそれぞれ前記垂直構造と前記床に接着するように適合された帯状のコンタクト型接着剤を露出する帯状の剥離可能紙を備える、請求項1から7のいずれか一項に記載の床コーヴィング。
【請求項９】
前記床コーヴィングは、弾性合成材料の一体的な押出成形によって構成される、請求項1から8のいずれか一項に記載の床コーヴィング。
【請求項１０】
前記弾性合成材料は可撓性を有し、ショアA硬度が80〜85である、請求項9に記載の床コーヴィング。
【請求項１１】
前記弾性合成材料は、合成ゴム及びビニルポリマーから選ばれる、請求項9又は10に記載の床コーヴィング。
【請求項１２】
前記弾性合成材料は、ポリ塩化ビニルである、請求項9から11のいずれか一項に記載の床コーヴィング。
【請求項１３】
前記弾性合成材料は、殺カビ剤、殺菌剤、抗菌剤、及び顔料から選ばれた添加剤、又はそれらの組合せを含んでいる、請求項9から12のいずれか一項に記載の床コーヴィング。
【請求項１４】
部屋に床を張る方法であって、
請求項1から13のいずれか一項に記載の床コーヴィングを、前記部屋内の垂直構造と床との間の接合部に、前記床コーヴィングの垂直部が前記垂直構造に当接し前記床コーヴィングの水平部が前記床に当接するように適用するステップと、
床材を前記床に敷設するステップとを備え、
前記床材の縁部は、前記床コーヴィングの前記水平部を覆って延在し、前記床コーヴィングの前記垂直部の少なくとも途中まで上り、前記床コーヴィングの凹面の輪郭と一致する、方法。
【国際調査報告】
2016513762.tif 000007
2016513762.tif 000008
2016513762.tif 000009
2016513762.tif 000010
2016513762.tif 000011